(57)【要約】【課題】相手を捕捉することができない場合でも、相手に痕跡を残すことのできる刺股を提供する。【解決手段】押付部５１に設けられた取付部１１０にカラーボール１００が相手側に押付可能に取り付けられているので、押付部５１を相手に押し付けると、カラーボール１００が割れて内部の液体を相手に付着させることができ、カラーボール１００を投げつける場合に比べ、カラーボール１００の液体を相手に付着させる可能性を高めることができる。これにより、制圧しようとする相手を捕捉することができない場合でも、カラーボール１００の液体による痕跡を相手に残すことができるので、逃亡した相手の特定に有効である。【選択図】図１９
2015197268.tif 000002
【特許請求の範囲】
【請求項１】
使用者が把持する柄と、柄の先端側に設けられた押付部とを備え、制圧しようとする相手に押付部を押し付けて使用する刺股において、
前記押付部に、外部から加わる力で割れるように形成された外装体の内部に相手に付着させるための液体を収容した液体収容体が相手側に押付可能に取り付けられる取付部を設けた
ことを特徴とする刺股。
【請求項２】
前記取付部は、前記押付部側から液体収容体の押付方向一端側に当接する第１の当接部と、第１の当接部の反対側から液体収容体の押付方向他端側に当接する第２の当接部とを有し、
第１の当接部が押付部側に固定されるとともに、第２の当接部が第１の当接部に対して押付方向に移動自在に設けられている
ことを特徴とする請求項１記載の刺股。
【請求項３】
先端に前記押付部が設けられ、前記柄に軸方向に摺動自在に設けられた摺動部材と、一端を摺動部材に回動自在に連結された一対のアームと、柄の先端側と各アームとを連結するリンクとを備え、摺動部材の押付部を相手側に押し付けると、摺動部材が柄に対して移動するとともに、各アームがリンク及び摺動部材に連動して閉じるように構成されるとともに、
前記摺動部材の先端側に軸方向に移動自在に設けられ、前記押付部を有するとともに相手側への押付方向に付勢された押付部材と、
所定の回動位置まで開いた各アームの閉じる方向への回動を規制する第１のロック機構と、
押付部材を摺動部材に対して所定位置まで押し込むことにより第１のロック機構のロックを解除する第１のロック解除機構と、
任意の位置まで閉じた各アームの開く方向への回動を規制する第２のロック機構と、
所定の操作により第２のロック機構のロックを解除する第２のロック解除機構とを備えた
ことを特徴とする請求項１又は２記載の刺股。
【請求項４】
前記第１のロック機構は、柄及び摺動部材の一方に設けられた係止部材と、柄及び摺動部材の他方に設けられた係止部とを有し、各アームの開く方向への回動により摺動部材が柄に対して軸方向の所定位置まで摺動すると、係止部材が係止部に係止し、各アームの閉じる方向への摺動部材の移動が規制されるように構成されている
ことを特徴とする請求項３記載の刺股。
【請求項５】
前記第１のロック解除機構は、押付部材に設けられた当接部を有し、押付部材が摺動部材に対して所定位置まで押し込まれると、当接部が第１のロック機構の係止部材に当接し、係止部材と係止部との係止が解除されるように構成されている
ことを特徴とする請求項４記載の刺股。
【請求項６】
前記第２のロック機構は、柄及び摺動部材の一方に固定された係止部材と、柄及び摺動部材の他方に軸方向に配列された複数の係止部とを有し、各アームの閉じる方向への回動により摺動部材が柄に対して軸方向に摺動すると、係止部材が係止部に係止し、各アームの開く方向への摺動部材の移動が規制されるように構成されている
ことを特徴とする請求項３、４または５記載の刺股。
【請求項７】
前記第２のロック解除機構は、第２のロック機構の係止部材と係止部との間に挿入可能な係止解除部材と、係止解除部材を柄の軸方向に移動させる操作部とを有し、操作部を柄の軸方向に移動すると、係止解除部材が係止部材と係止部との間に挿入され、係止部材と係止部との係止が解除されるように構成されている
ことを特徴とする請求項６記載の刺股。
【請求項８】
前記操作部が柄に設けた長孔に沿って移動するように設けられている
ことを特徴とする請求項７記載の刺股。
【請求項９】
前記柄の長孔を覆うカバー部材を備え、
カバー部材が操作部と共に柄に沿って移動するように設けられている
ことを特徴とする請求項８記載の刺股。
【発明の詳細な説明】
【技術分野】
【０００１】
本発明は、主に学校その他各種施設の防犯または警備用の道具として用いられる刺股に関するものである。
【背景技術】
【０００２】
従来、この種の刺股としては、両端側が左右方向に向かって二股状に延びるアームを長い柄の先端に取り付け、暴漢や犯人を取り押さえる際、柄を把持して刺股本体を相手の胴体に押し付けることにより、抵抗する相手を制圧するようにしたものが知られている（例えば、特許文献１参照）。
【０００３】
また、他の刺股としては、柄に軸方向に摺動自在に設けられた摺動部材と、柄の先端側と各アームとを連結するリンクとを備え、アームを開いた状態で摺動部材の先端側を相手に押し付けると、摺動部材が柄に対して後退するとともに、アームがリンク及び摺動部材に連動して内側に閉じ、閉じたアームによって相手を拘束するようにしたものが知られている（例えば、特許文献２参照。）。
【先行技術文献】
【特許文献】
【０００４】
【特許文献１】特開２００６−２４２５３７号公報
【特許文献２】実用新案登録第３１１８７３５号公報
【発明の概要】
【発明が解決しようとする課題】
【０００５】
ところで、前記刺股は、十分な訓練を受けた警察官や警備員等によって使用される場合が多いが、近年では学校等の一般施設に防犯用として配備されるものが増えている。しかしながら、取扱いに不慣れな学校の教職員や一般人では、抵抗する相手を捕捉することは困難であり、刺股で対抗しても相手に逃げられてしまえば、相手を特定する痕跡を残すことができなかった。
【０００６】
一方、特殊な塗料や染料等の液体を充填した、いわゆるカラーボールを犯人に投げつける方法が知られている。この方法では、カラーボールが相手に命中すると、衝撃でカラーボールの外装が割れて内部の液体が飛散するようになっているので、相手に液体を付着させることができれば、逃亡した相手の特定に有効である。
【０００７】
しかしながら、暴漢に立ち向かうなどの緊迫した状況では、カラーボールを相手に命中させることは困難であり、たとえ命中したとしても、相手の衣服等の柔らかい部分に当たった場合は、カラーボールが割れず、内部の液体を相手に付着させることができないことも多かった。
【０００８】
本発明は前記問題点に鑑みてなされたものであり、その目的とするところは、相手を捕捉することができない場合でも、相手に痕跡を残すことのできる刺股を提供することにある。
【課題を解決するための手段】
【０００９】
本発明は前記目的を達成するために、使用者が把持する柄と、柄の先端側に設けられた押付部とを備え、制圧しようとする相手に押付部を押し付けて使用する刺股において、前記押付部に、外部から加わる力で割れるように形成された外装体の内部に相手に付着させるための液体を収容した液体収容体が相手側に押付可能に取り付けられる取付部を設けている。
【００１０】
これにより、押付部に設けられた取付部に液体収容体が相手側に押付可能に取り付けられることから、押付部を相手に押し付けると、液体収容体が割れて内部の液体が相手に付着する。
【発明の効果】
【００１１】
本発明の刺股によれば、押付部を相手に押し付けると、液体収容体が割れて内部の液体を相手に付着させることができるので、液体収容体を投げつける場合に比べ、液体収容体の液体を相手に付着させる可能性を高めることができる。これにより、制圧しようとする相手を捕捉することができない場合でも、液体収容体の液体による痕跡を相手に残すことができるので、逃亡した相手の特定に有効である。
【図面の簡単な説明】
【００１２】
【図１】本発明の一実施形態を示す刺股の正面図
【図２】刺股の側面図
【図３】刺股の要部斜視図
【図４】押付部材の正面図
【図５】第２のロック機構の要部分解斜視図
【図６】第２のロック機構の要部分解斜視図
【図７】第２のロック解除機構の要部斜視図
【図８】刺股の要部側面断面図
【図９】刺股の動作を示す要部側面断面図
【図１０】刺股の動作を示す要部側面断面図
【図１１】刺股の要部側面断面図
【図１２】刺股の動作を示す要部側面断面図
【図１３】刺股の動作を示す要部側面断面図
【図１４】刺股の動作を示す要部側面断面図
【図１５】刺股の使用状態を示す側面図
【図１６】刺股の使用状態を示す平面図
【図１７】刺股の使用状態を示す平面図
【図１８】刺股の使用状態を示す平面図
【図１９】刺股の要部正面図
【図２０】刺股の要部平面図
【図２１】刺股の要部分解正面図
【図２２】取付部の動作を示す刺股の要部正面図
【図２３】取付部の動作を示す刺股の要部正面図
【発明を実施するための形態】
【００１３】
図１乃至図２３は本発明の一実施形態を示すもので、主に学校その他各種施設の防犯または警備用の道具として用いられる刺股を示すものである。
【００１４】
同図に示す刺股１は、使用者Ａが把持する柄１０と、柄１０に軸方向に摺動自在に設けられた摺動部材としてのシャフト２０と、一端をシャフト２０に回動自在に連結された湾曲形状の一対のアーム３０と、柄１０の先端側と各アーム３０とを連結する一対のリンク４０と、シャフト２０の先端側に軸方向に移動自在に設けられた押付部材５０と、所定の回動位置まで開いた各アーム３０の閉じる方向への回動を規制する第１のロック機構６０と、押付部材５０をシャフト２０に対して所定位置まで押し込むことにより第１のロック機構６０のロックを解除する第１のロック解除機構７０と、任意の位置まで閉じた各アーム４の開く方向への回動を規制する第２のロック機構８０と、所定の操作により第２のロック機構８０のロックを解除する第２のロック解除機構９０とを備え、押付部材５０の先端側には、液体収容体としてのカラーボール１００が取り付けられる取付部１１０が設けられている。
【００１５】
柄１０は、円筒状の金属パイプからなり、例えば１７００ｍｍ程度の長さに形成されている。柄１０の基端側にはグリップ１１が設けられ、グリップ１１は柄１０の外周面に被着された円筒状の部材からなる。
【００１６】
シャフト２０は、外形寸法が柄１０の内径よりも小さい角筒状の金属パイプからなり、柄１０内に摺動自在に挿入されている。
【００１７】
各アーム３０は、金属パイプを湾曲させることによって形成され、その基端側はシャフト２０の先端側に回動自在に連結されている。各アーム３０の基端側はシャフト２０を間にしてシャフト２０の径方向に対向するように配置され、シャフト２０を径方向に貫通する一本のネジ３１によって回動自在に支持されている。
【００１８】
各リンク４０は、直線状に延びる金属板からなり、その一端側は柄１０の先端側に回動自在に連結されている。各リンク４０の一端側は柄１０を間にして柄１０の径方向に対向するように配置され、柄１０の径方向一端側と他端側に取り付けられたネジ４１によってそれぞれ回動自在に支持されている。また、リンク４０の他端側は他のネジ４２によってアーム３０の基端側に回動自在に連結されている。この場合、リンク４０とアーム３０との連結位置は、シャフト２０とアーム３０との連結位置に対して所定距離だけアーム３０の先端側に位置している。
【００１９】
押付部材５０は、外径がシャフト２０の内形寸法よりも小さい金属パイプからなり、シャフト２０内に摺動自在に挿入されている。押付部材５０の先端側には左右方向に亘って延びる押付部５１が設けられ、押付部５１は押付部材５０の先端から両側に湾曲するように延びている。押付部材５０の外周面には軸方向に延びる一対の長孔５２が径方向に対向するように設けられ、各長孔５２には各アーム３０のネジ３１が挿通している。これにより、押付部材５０は長孔５２の長さだけシャフト２０に対して軸方向に移動自在になっている。また、押付部材５０内にはコイル状のバネ５３が設けられ、バネ５３によって押付部材５０が先端側に付勢されている。この場合、バネ５３の一端は押付部材５０内に固定され、その他端はネジ３１に圧接している。
【００２０】
第１のロック機構６０は、シャフト２０内に設けられた係止部材６１と、一方のリンク４０のネジ４１とから構成され、ネジ４１は係止部材６１に係止する係止部をなす。係止部材６１は弾性変形可能な金属板からなり、その一端はシャフト２０内に固定されている。係止部材６１の他端側には突起６２が設けられ、突起６２はシャフト２０の周面に設けられた孔２１からシャフト２０の外側（柄１０の内部）に突出するようになっている。また、係止部材６１の他端側はシャフト２０の内周面に押し付けられており、これにより突起６２が孔２１から突出した状態に保持されている。即ち、第１のロック機構６０では、図８に示すように孔２１から突出した突起６２がネジ４１の頭部に係止することにより、柄１０の基端側へのシャフト２０の移動が規制され、各アーム３０の閉じる方向への回動を規制されるようになっている。
【００２１】
第１のロック解除機構７０は、押付部材５０の基端側に設けられた当接部７１からなり、押付部材５０がシャフト２０に対して所定位置まで押し込まれると、押付部材５０の当接部７１が第１のロック機構６０の係止部材６１に当接し、係止部材６１を変位させるようになっている。
【００２２】
第１のロック解除機構７０では、図９に示すように当接部７１の当接によって係止部材６１が変位すると、突起６２が孔２１内に没入し、突起６２とネジ４１との係止が解除され、図１０に示すように第１のロック機構６０のロックが解除されるようになっている。
【００２３】
第２のロック機構８０は、シャフト２０の基端に固定された第１のロック部材８１と、柄１０内に固定された第２のロック部材８２と、第１のロック部材８１に設けられた係止部材８３と、第２のロック部材８２に設けられた多数の係止部８４とからなり、第１のロック部材８１は第２のロック部材８２内に摺動自在に挿入されている。第１のロック部材８１は幅方向両側が直角に屈曲するように形成され、第２のロック部材８２は角筒状に形成されている。係止部材８３は幅方向両側が直角に屈曲するように形成され、第１のロック部材８１の両側面に支軸８３ａを介して回動自在に取り付けられている。この場合、係止部材８３は、支軸８３ａに取り付けられたコイル状のバネ８３ｂによって第１のロック部材８１の外側に回動するように付勢されている。各係止部８４は柄１０及びシャフト２０の軸方向に配列され、第２のロック部材８２の内面に固定された第３のロック部材８５に一体に形成されている。この場合、各係止部８４は、柄１０及びシャフト２０の軸方向一方のみで係止部材８３が係止する山形の突起からなる。即ち、第１のロック部材８１が第２のロック部材８２内に配置されると、図１１に示すように係止部材８３がバネ８４によって第３のロック部材８５に圧接し、何れか一つの係止部８４に係止するようになっている。
【００２４】
第２のロック機構８０では、図１２に示すようにシャフト２０が柄１０の基端側（軸方向他方）に移動すると、係止部材８３がバネ８３ｂに抗して係止部８４を乗り越えるように変位しながら第３のロック部材８５上を任意の位置まで移動するようになっている。また、柄１０の先端側（軸方向一方）へのシャフト２０の移動に対しては、係止部材８３が係止部８４に係止し、同方向へのシャフト２０の移動が規制され、各アーム４の開く方向への回動が規制されるようになっている。
【００２５】
第２のロック解除機構９０は、第２のロック機構８０の係止部材８３と各係止部８４との間に挿入可能な係止解除部材９１と、係止解除部材９１を柄１０の軸方向に移動させる操作部９２とからなる。係止解除部材９１は互いに幅方向に間隔をおいて配置された一対の棒状部材からなり、その先端は尖鋭に形成されている。操作部９２は手指で把持可能な円柱状の部材からなり、柄１０の外側に配置されている。この場合、柄１０の周面には軸方向に延びる長孔１２が設けられており、操作部９２は棒状の連結部材９２ａを介して係止解除部材９１の基端側に連結されている。操作部９２はバネ９３によって柄１０の基端側に付勢されており、操作部９２を柄１０の先端側に向かって移動すると、操作部９２がバネ９３によって柄１０の基端側に戻るようになっている。バネ９３は一端を操作部９２に連結され、他端を柄１０の基端側に連結されている。また、柄１０の外側には長孔１２を覆うカバー部材９４が設けられている。カバー部材９４は柄１０の外周面に摺動自在に設けられた円筒状の部材からなり、連結部材９２ａはカバー部材９３の周面に設けられた孔９４ａに挿通されている。この場合、操作部９２を長孔１２に沿って移動させると、カバー部材９４も操作部９２と共に移動するようになっている。
【００２６】
第２のロック解除機構９０では、操作部９２を長孔１２に沿って柄１０の先端側（軸方向一方）に移動すると、図１３に示すように係止解除部材９１が係止部材８３と係止部８４との間に挿入されて係止部材８３と係止部８４との係止が解除され、図１４に示すように第２のロック機構８０のロックが解除されるようになっている。
【００２７】
カラーボール１００は、外部から加わる力で割れるように形成された厚さの薄い樹脂成形品からなる球状の外装体１０１の内部に、相手に付着させるための液体を収容した周知の防犯用品からなり、内部の液体としては、例えば蛍光塗料等の目立つ色の液体、臭気の強い液体、ルミノール反応の残る液体等が用いられる。
【００２８】
取付部１１０は、押付部５１側からカラーボール１００一端側に当接する第１の当接部１１１と、第１の当接部１１１の反対側からカラーボール１００の他端側に当接する第２の当接部１１２とからなり、第１及び第２の当接部１１１，１１２はそれぞれカラーボール１００の外径よりも小さい内径を有する環状の部材からなる。第１の当接部１１１は、押付部材５０の外周面に固定された第１の固定部材１１３から延びる一対の棒状の第２の固定部材１１４の先端に固定され、押付部５１の幅方向中央に位置するように押付部５１の先端側に配置されている。第２の当接部１１２は、第１の当接部１１１と押付方向（押付部材５０の軸方向）に間隔をおいて配置され、第１の当接部１１１に対して押付方向に移動自在に設けられている。第２の当接部１１２には押付方向に延びるボルト１１の頭部が固定され、第１の当接部１１１にはボルト１１５が押付方向に移動自在に係合する係合部材１１６が設けられている。係合部材１１６はボルト１１５が摺動自在に挿通する円筒状の部材からなり、第１の当接部１１１に固定されている。係合部材１１６を挿通するボルト１１５の先端側にはナット１１７が螺合しており、ナット１１７はワッシャ１１８を介して係合部材１１６の一端に係止するようになっている。また、係合部材１１６の他端とボルト１１５の頭部との間にはコイル状のスプリング１１９が圧縮状態で設けられている。尚、ボルト１１５、係合部材１１６、ナット１１７、ワッシャ１１８及びスプリング１１９は、第１及び第２の当接部１１１，１１２の周方向二箇所に設けられている。
【００２９】
前記取付部１１０では、第１の当接部１１１と第２の当接部１１２との間にカラーボール１００を配置し、ボルト１１５とナット１１７とを螺合することにより、第１及び第２の当接部１１１，１１２がカラーボール１００の外装体１０１に当接し、カラーボール１００が取付部１１０に保持される。その際、係合部材１１６の他端とボルト１１５の頭部との間に圧縮状態で配置されたスプリング１１９によってナット１１７がワッシャ１１８を介して係合部材１１６の一端に圧接することから、ナット１１７の緩みが防止される。
【００３０】
以上のように構成された刺股１においては、図１に示すように各アーム３０を所定位置まで開くことにより、第１のロック機構６０によって各アーム３０が開いた状態でロックされる。ここで、例えば学校等の施設に侵入した暴漢等の相手Ｂを制圧しようとする場合、図１５に示すように使用者Ａは柄１０が略水平になるように持って構える。次に、図１６に示すように、各アーム３０の間に、制圧しようとする相手Ｂを位置させるとともに、押付部材５０の押付部５１を相手Ｂに押し付けることにより、図中白抜き矢印で示すように押付部材５０にシャフト２０側への押圧力を加える。これにより、押付部材５０がシャフト２０内に押し込まれ、第１のロック解除機構７０によって第１のロック機構６０のロックが解除される。第１のロック機構６０のロックが解除されると、図１０に示すようにシャフト２０が柄１０の基端側に向かって移動し、図１７に示すように各アーム３０が相手Ｂを包み込むように閉じる。その際、第２のロック機構８０によって各アーム３０が閉じた状態でロックされるので、相手Ｂは各アーム３０を開くことができず、各アーム３０によって相手Ｂが拘束される。これにより、使用者Ａは、相手Ｂを取り押さえることもできるが、そのまま放置して逃げてもよい。その場合、相手Ｂには刺股１が組み付いたままになっているので、使用者Ａを追いかけようとしても刺股１が邪魔になり、使用者Ａが相手Ｂから逃げやすくなる。
【００３１】
また、押付部材５０の押付部５１を相手Ｂに押し付けると、取付部１１０に取り付けられたカラーボール１００が相手Ｂに押し付けられ、押付力によりカラーボール１００の外装体１０１が割れて内部の液体が飛散する。これにより、飛散した液体が相手Ｂに付着する。この場合、押付力がカラーボール１００の外装体１０１に直接加わることによりカラーボール１００の外装体１０１が割れるか、或いは図２２に示すように押付力で第２の当接部１１２が第１の当接部１１１側に移動することにより、図２３に示すように第１の当接部１１１と第２の当接部１１２の間に位置する外装体１０１が第１及び第２の当接部１１１，１１２によって圧縮されて割れ、図中実線矢印で示すように内部の液体が飛散する。
【００３２】
一方、開いた各アーム３０の間に相手Ｂを位置させる前に、図１８に示すように相手Ｂに各アーム３０を掴まれた場合でも、各アーム３０は第１のロック機構６０によって開いた状態でロックされているため、押付部材５０を押し込まない限り、図中白抜き矢印で示すように相手Ｂが各アーム３０を持って閉じることはできない。これにより、相手Ｂに各アーム３０を閉じられて相手Ｂを拘束することができなくなることはない。
【００３３】
また、閉じた各アーム３０を開いた状態に戻す場合は、図１３に示すように第２のロック解除機構９０の操作部９２を柄１０の先端側に向かって移動させると、第２のロック機構８０のロックが解除され、図１４に示すようにシャフト２０が移動し、図１に示すように各アーム３０が所定の回動位置まで開く。
【００３４】
このように、本実施形態の刺股によれば、押付部５１に設けられた取付部１１０にカラーボール１００が相手側に押付可能に取り付けられているので、押付部５１を相手Ｂに押し付けると、カラーボール１００が割れて内部の液体を相手Ｂに付着させることができ、カラーボール１００を投げつける場合に比べ、カラーボール１００の液体を相手Ｂに付着させる可能性を高めることができる。これにより、制圧しようとする相手Ｂを捕捉することができない場合でも、カラーボール１００の液体による痕跡を相手Ｂに残すことができるので、逃亡した相手Ｂの特定に有効である。
【００３５】
この場合、取付部１００は、押付部５１側からカラーボール１００の押付方向一端側に当接する第１の当接部１１１と、第１の当接部１１１の反対側からカラーボール１００の押付方向他端側に当接する第２の当接部１１２とを有し、第１の当接部１１１が押付部５１側に固定されるとともに、第２の当接部１１２が第１の当接部１１１に対して押付方向に移動自在に設けられているので、相手Ｂへの押付力がカラーボール１００の外装体１０１に直接加わることによりカラーボール１００の外装体１０１が割れない場合でも、押付力で第２の当接部１１２が第１の当接部１１１側に移動することにより、第１の当接部１１１と第２の当接部１１２の間に位置する外装体１０１を第１及び第２の当接部１１１，１１２による圧縮力で割ることができ、相手Ｂへの押付力でカラーボール１００を容易に割ることができる。
【００３６】
また、本実施形態の刺股によれば、所定の回動位置まで開いた各アーム３０の閉じる方向への回動を規制する第１のロック機構６０と、押付部材５０をシャフト２０に対して所定位置まで押し込むことにより第１のロック機構６０のロックを解除する第１のロック解除機構７０とを備えているので、相手Ｂに各アーム３０を持って閉じられることがなく、各アーム３０の間に相手Ｂを位置させるまで各アーム３０を開いた状態に保持することができる。これにより、各アーム３０の間に相手Ｂを位置させる前に、相手Ｂに各アーム３０を閉じられて相手Ｂを拘束することができなくなることがなく、相手Ｂを制圧する場合に極めて有利である。
【００３７】
更に、各アーム３０の間に位置する相手Ｂに押付部材５０を押し付けて各アーム３０を閉じると、第２のロック機構８０によって各アーム３０の開く方向への回動が規制されるので、相手Ｂは各アーム３０を開くことができず、各アーム３０によって相手Ｂを強固に拘束することができる。この場合、各アーム３０により、取付部１１０のカラーボール１００を相手Ｂに押し付けた状態で相手Ｂを拘束することができるので、相手Ｂが各アーム３０の拘束から逃れようとしてもがくほど、カラーボール１００から流出した液体が相手Ｂの衣服等の広範囲に付着し、相手Ｂに液体の付着による痕跡を残す効果を高めることができる。
【００３８】
また、第２のロック機構８０は、シャフト２０の軸方向に配列された多数の係止部８４を有しているので、係止部材８３と係止部８４との係止位置の間隔を細かく多段階にすることができ、相手Ｂの体型や体格に応じて各アーム３０を緩みなく相手Ｂに圧着することができる。
【００３９】
更に、操作部９２の操作により第２のロック機構８０のロックを解除する第２のロック解除機構９０を備えているので、例えば刺股１の使用訓練時に訓練相手を各アーム３０で拘束した後、第２のロック解除機構９０によって速やかに各アーム３０のロックを解除することができ、刺股１の使用訓練を円滑に行うことができる。
【００４０】
また、操作部９２を移動させるための長孔１２を柄１０の外周面に設けたカバー部材９４によって覆うようにしたので、外部のゴミ等の異物が長孔１２から柄１０の内部に侵入することがなく、異物の侵入による動作不良を効果的に防止することができる。
【符号の説明】
【００４１】
１…刺股、１０…柄、２０…シャフト、３０…アーム、４０…リンク、５０…押付部材、６０…第１のロック機構、６１…係止部材、７０…第１のロック解除機構、８０…第２のロック機構、８３…係止部材、８４…係止部、９０…第２のロック解除機構、９２…操作部、９４…カバー部材、１００…カラーボール、１１０…取付部、１１１…第１の当接部、１１２…第２の当接部。
【図１】
2015197268.tif 000003
【図２】
2015197268.tif 000004
【図３】
2015197268.tif 000005
【図４】
2015197268.tif 000006
【図５】
2015197268.tif 000007
【図６】
2015197268.tif 000008
【図７】
2015197268.tif 000009
【図８】
2015197268.tif 000010
【図９】
2015197268.tif 000011
【図１０】
2015197268.tif 000012
【図１１】
2015197268.tif 000013
【図１２】
2015197268.tif 000014
【図１３】
2015197268.tif 000015
【図１４】
2015197268.tif 000016
【図１５】
2015197268.tif 000017
【図１６】
2015197268.tif 000018
【図１７】
2015197268.tif 000019
【図１８】
2015197268.tif 000020
【図１９】
2015197268.tif 000021
【図２０】
2015197268.tif 000022
【図２１】
2015197268.tif 000023
【図２２】
2015197268.tif 000024
【図２３】
2015197268.tif 000025